Podtech/llm-jp-corpus-v4-ja_patent huggingface dataset:
(57)【要約】      （修正有）【課題】米をとぐ場合従来、手でかき混ぜてといでいたのを、手を濡らさずに米がとげるようにする。【解決手段】    透明な筒で作ることにより、米のとぎ加減がわかるようにした。筒の中に突起状の棒を作ることにより、筒の中で米と水とが撹拌でき、従来、手で米をといでいたのと同様の効果が出る。  透明な器で作ることにより、米の洗い具合を直接目で判断できることと、筒に水と米を入れ、それを上下させることにより、手で米をとぐ必要をなくした。筒の中に棒状の突起棒を作ることにより、より撹拌させるよう工夫した。  また、とぎ汁をそのまま利用できるよう筒の上下に蓋をつけた。【選択図】図１
2006158930.tif 000002
【特許請求の範囲】
【請求項１】
筒状の透明の取り外せる蓋、下に半分だけ開く蓋をつけた米洗い器。
【請求項２】
下半分だけ開く部分に、米粒が落ちない大きさの穴が開いた蓋をつけた米洗い器。
【請求項３】
筒の内側を棒状に突起させた米洗い器。
【発明の詳細な説明】
【技術分野】
【０００１】  本発明は、透明な筒の蓋と、内側を工夫することによって、手を濡らさずに米がとげるようにしたものである。［背景技術］【０００２】  特許文献や非特許文献は知りません。［発明の開示］［発明が解決しようとする課題］【０００３】  従来、米をとぐ場合、電気釜などに付いている内側の容器に米と水を入れ、手で米をといでご飯を炊いているが、手が汚れていたり、水に手をつけることが出来ない時には米がとげない。  という不具合を解消することを課題とする。［課題を解決するための手段］【０００４】  この課題を解決するための請求項１の発明は、筒の下に半分だけ開く蓋をつけた事により、とぎ汁を再利用し易くした。【０００５】  また、請求項２の発明は、半分だけ蓋を開けて、とぎ汁を流すときに、米粒が流れ出ることなく、水を流しながら米がとげる。【０００６】  請求項３の発明は、筒の内側を棒状に突起させることにより、筒の中に入れた米と水を、筒を上下させることにより、米と水が撹拌し米に付いた不純物を取り除くことが出来る。【０００７】  本発明により、手を水につけずに米をとぐことができ、とぎ汁も再利用できる。［発明を実施するための最良の形態］【０００８】  図１は、全体図である。筒の直径と長さは、とぐ米の量によって大きさが変わる。【０００９】  図２は、筒の平面図である。この突起により、米と水をより良く撹拌することが出来る。  突起の形状や本数は変えることができる。【００１０】  図３は、筒の下に付いている蓋の平面図と断面図である。蓋を開けることによって、とぎ汁を流すことができる。
【図面の簡単な説明】
【００１１】
【図１】全体図である。
【図２】筒の下の断面図である。
【図３】筒の上の蓋を開けて、上から見た平面図である。
【図１】
2006158930.tif 000003
【図２】
2006158930.tif 000004
【図３】
2006158930.tif 000005
(57)【要約】【課題】暖房に用いるこたつの下に敷くこたつ敷ふとんは、こたつの脚が、その上に乗った状態で使用するので、長時間経つとずれて、しわが寄るなど形状が乱れ易かった。特に、くつろいで寝転んだりしていると、ひどいものであった。それを平らな元の状態に戻すのに、こたつの脚を持ち上げて直さなければならなかった。また、こたつ敷ふとんの下を掃除する時も、こたつを持ち上げて他の場所に移動させたり、横に倒したりするなど、重くて大変であった。更に、洗濯などをして、物干しざおにかけて干すと、ふとんどうし合わさった状態になり乾きにくかった。【解決手段】本体１にこたつの脚を置くための脚用穴４を設ける。脚用穴４は、こたつが本体１の中央にくる位置に、脚の数と同数設けられる。【選択図】図１
2006158924.tif 000002
【特許請求の範囲】
【請求項１】
こたつが、こたつ敷ふとんの中央にくる位置に、こたつの脚を設置するための脚用穴を脚の数と同数設けたことを特徴とするこたつ敷ふとん。
【発明の詳細な説明】
【技術分野】
【０００１】  この発明は、暖房器具として用いるこたつの敷ふとんの形状に関する。
【背景技術】
【０００２】  従来のこたつ敷きふとんの形状は、図２に示すように、本体１は、表地と裏地の間に中わたが入り、それをキルティング２で固定し、縁どり３を本体１のまわりに施した物である。
【発明の開示】
【発明が解決しようとする課題】
【０００３】  しかしながら、以上の従来技術によれば、こたつ敷ふとんの上に、こたつの脚が乗った状態で使用するので、特に、くつろいで寝転んだりしていると、ふとんのずれ方もひどく、こたつ敷ふとんの形状がくちゃくちゃに乱れると同時に、こたつの位置もずれることが多かった。それらを元の状態に戻すのに、こたつの脚を持ち上げて直さなければならなかった。また、こたつ敷ふとんの上にこたつを置いたままの状態で、こたつ敷ふとんの下全体を掃除することは難しく、その際、こたつを持ち上げて他の場所に移動させるか、あるいは、横に倒した状態にする等、重くて大変であった。更に、こたつ敷ふとんを洗濯などして干す時、物干しざおにかけると、ふとんが合わさった状態になるので、乾きにくかった。
そこで、この発明は、たとえずれても、しわが寄っても、元の状態に直すことが容易で、こたつ敷ふとんの下を掃除する時も、こたつを動かすことなく簡単にできる。加えて、干し易く、乾き易いこたつ敷ふとんを提供することを課題とする。
【課題を解決するための手段】
【０００４】  以上の課題を解決するために、第一発明は、こたつが、こたつ敷ふとんの中央に来る位置に、こたつの脚を設置するための脚用穴を脚の数と同数設けたことを特徴とするこたつ敷ふとんである。
【発明の効果】
【０００５】  第一発明によれば、こたつが、こたつ敷ふとんの中央に来る位置に、こたつの脚を設置するための脚用穴を脚の数と同数設けたので、こたつとこたつ敷ふとんの位置関係が保たれ、こたつの脚を脚用穴にそれぞれ入れると、こたつ敷ふとんも殆んどずれることなく、たとえずれたり、しわが寄っても直し易い。更に、それぞれの脚用穴がこたつの脚にそって持ち上げられるので、こたつ敷ふとんの下にあるフローリングなど全体を掃除することができる。加えて、こたつ敷ふとんを干す時も、脚用穴に物干しざおを通して、簡単に干すことができ、また、乾き易い。
【発明を実施するための最良の形態】
【０００６】  この発明の一実施形態を、図１に示す。
こたつ敷ふとんの本体１は、こたつのやぐらの最もポピュラーな形状に合わせて正方形で、角にはそれぞれ丸みがつけられている。素材は、主に天然繊維の綿、合成繊維のポリエステル、アクリル等から成っていて、本体１は、表地と裏地の間に中わたが入っていて、中わたが動かないように、上からキルティング２が全体に施されている。脚用穴４は、こたつやぐらが正方形であることから、脚の数四本に合わせて、合計四箇所設けられる。また、こたつが本体１の中央に来るよう、脚用穴４は本体１の対角線上に、中心より等距離に設けられる。脚用穴４の形状は、やはり、最もポピュラーな脚の断面の形状に合わせて略扇形で、こたつの脚がスムーズに入る大きさである。脚用穴４の周囲と本体１の周囲は、バイヤスを使って縁どり３が施されている。【０００７】「実施形態の効果」
この実施形態によれば、本体１の四つ角に丸みをつけることにより、邪魔にならず、角でつまずきにくい。本体１の周囲に施された縁どり３、特に角の丸みのある部分は、伸縮性の有るバイヤスを使うことできれいに仕上げることができる。また、本体１の中に中わたを入れることにより、厚みが増し、上からキルティング２をすることにより、中わたが動かないので、本体１に脚用穴４を設けて、こたつの脚を設置すると、すっぽり納まり安定感がある。更に、脚用穴４のまわりを同じく伸縮性のあるバイヤスで縁どり３をすることにより、脚の断面の最もポピュラーな形状の略扇形だけでなく、四角形にも、円形にも適応できる。また、脚用穴４は、こたつの脚がスムーズに入る大きさなので、こたつ敷ふとんの下を掃除する時も脚用穴４がこたつの脚にそって持ち上がるので、簡単に掃除することができる。加えて、こたつ敷ふとんを洗濯などして干す場合、物干しざおも当然スムーズに入る大きさということと、脚用穴４が均等な位置に設けられていることを利用して、簡単にできる。物干しざお一本を脚用穴４の二箇所に、もう一本を残りの脚用穴４二箇所に、相互が平行になるようにさし込んで干すと、ずり落ちる心配もなく干し易い。また、ふとんどうしが重なり合うこともないので乾き易い。【０００８】「他の実施形態」
図１の実施形態では、脚用穴４は略扇形で、本体１の対角線上に、中心より等距離に設けられたが、他の実施形態では、略扇形に準じて楕円形で、本体１の縦に当たる辺の中央どうしを結んだ線と、同じく横に当たる辺の中央どうしを結んだ線上に、中心より等距離に設けられても良い。
【図面の簡単な説明】
【０００９】
【図１】  この発明の一実施形態を示す平面図である。
【図２】  従来技術を示す平面図である。
【符号の説明】
【００１０】  １  本体                    ２  キルティング
３  縁どり                  ４  脚用穴
【図１】
2006158924.tif 000003
【図２】
2006158924.tif 000004
(57)【要約】【課題】洗濯物の乾燥、及び衣類吊持に用いるハンガーにおいて、構造が簡単で、低コストで、Ｔシャツやとっくりセーターなどの首穴が小さい衣服であっても、また衣服をハンガーに掛ける時も外す時も丸首を引っ張る必要がなく、ハンガーの操作が片手で簡単に出来、掛け取り込みが瞬時に楽にできるハンガーを提供することである。【解決する手段】左右同形状の２本のアームを居受部の先端を開閉自在に連結し、フックの掛止部の下端を二本のレバーにし、レバーの下端部を２本のアームの上端部にそれぞれ開閉自在に連結する。【選択図】図１
2006158928.tif 000002
【特許請求の範囲】
【請求項１】
アーム２本の居受部の端末同士を開閉自在に連結し、フックの手握部を開閉自在な２本のレバーにし、同２本のレバーの下端部をそれぞれ上記２本のアームの居受部に開閉自在に連結させてなる構造を特徴とする衣類吊持用ハンガー。
【発明の詳細な説明】
【技術分野】
【０００１】  本発明は、洗濯物の乾燥、及び衣類吊持に用いるハンガーに関するものである。
【背景技術】
【０００２】  従来、洗濯物の乾燥、及び衣類吊持に使用するハンガーは、構造上左右両側の肩受部と居受部が１本のアームでつながっているため、Ｔシャツやとっくりセーターなど、首穴の小さい衣服はハンガーに掛ける時もはずす時も丸首を無理やり引っぱるしかなかった。  居受部を折りたたみ可能にしたハンガーもいくつかは知られているが、構造が複雑で、片手だけで使えるハンガーはなかった。  この分野の先行技術は特開平１１−１１４２８８などがある。
【発明の開示】
【発明が解決しようとする課題】
【０００３】  そのため従来のハンガーは衣服の丸首が無理やり伸ばされ型崩れの恐れがあった。  上記記載の先行技術は、構造が複雑で、操作も難しいため実用性が欠けるだけでなく、生産コストも高いなどの問題があった。  本発明の目的は、より簡単な構造で、Ｔシャツやとっくりセーターなどの首穴が小さい衣服であっても、衣服をハンガーに掛ける時も外す時も丸首を引っ張る必要がなく、ハンガーの操作が片手で簡単に出来るハンガーを提供することである。
【課題を解決するための手段】
【０００４】  本発明は、次の構造により構成される。  同形状のアーム２本の居受部の端末同士を開閉自在に連結させる。  そしてフックの掛止部の下端の手握部を開閉自在な２本のレバーにし、同２本のレバーの下端部をそれぞれ上記２本のアームの居受部にレバーとアームが開いた状態で左右の長さが対称になるように連結し、連結部を開閉自在にする。  上記手握部の２本のレバーの連結部と、上記アーム２本の連結部にそれぞれ弾性物を設け、通常は開いた状態を保つようにする。  上記アーム２本の連結部と手握部のレバー（３Ａ）に跨ってストッパーを設ける。  本発明は以上の構造により構成されており次のような効果を表す。
【発明の効果】
【０００５】（イ）衣服をハンガーに掛ける時も外す時も片手でレバーを握るだけで、ハンガーの両アームが閉じられ、小さい穴にも楽に差込めるようになるので、Ｔシャツやとっくりセーターなどの首穴が小さい衣服であっても、丸首が無理やり伸ばされ型崩れする恐れがない。（ロ）ハンガーの操作が片手で簡単にでき、掛けはずしが瞬時に楽にでき、またＴシャツなど丸首の小さい服のみならず、肩受部に掛ける服なら全て使用可能なので汎用性と実用性が高い。（ハ）いままでにない簡単な構造で構成されているのでコストが低く、商品化しやすい。
【発明を実施するための最良の形態】
【０００６】  以下、本発明の実施形態について図面を参照しながら説明する。「図１」は本発明の正面図であり、「図２」は本発明の手でレバーを握った時のハンガーの形状であり、「図３」はストッパーの部分断面構造図である。  同形状のアーム（１Ａ）と（１Ｂ）の居受部の端末同士を開閉自在に連結させる。  そしてフックの掛止部（２）の下端の手握部（３Ａ）と（３Ｂ）を開閉自在な２本のレバーにし、同２本のレバーの下端部をそれぞれ上記２本のアーム（１Ａ）と（１Ｂ）の居受部にレバーとアームが開いた状態で左右の長さが対称になるように連結し、連結部を開閉自在にする。  上記手握部（３Ａ）と（３Ｂ）の連結部（５）と、アーム（１Ａ）と（１Ｂ）の連結部（６）に少なくとも一箇所に弾性物を設け、通常は開いた状態を保つようにする。  上記アーム（１Ａ）と（１Ｂ）の連結部（６）と手握部（３Ａ）に跨ってストッパー（４）を設ける。  本発明は上記の構造からなり、これを使用する時は下記の通りである。
【実施例】
【０００７】  洗濯物を乾燥する場合は、まず洗濯物の丸首を片手で持って、残りの手でハンガーの手握部（３Ａ）と（３Ｂ）を軽く握り、アーム（１Ａ）と（１Ｂ）の先端を閉じて、アームの先端からハンガーを丸首に差し入れる。  ハンガーを丸首に差し入れてから、手の力を抜くとアーム（１Ａ）と（１Ｂ）が弾性物の弾力によって開くので、ハンガーを掛ければ作業完了になる。  洗濯物が重い時はハンガーを掛けた後、指でストッパー（４）を軽く上に引いて掛けるとアームが固定される。  洗濯物を取り込む時は片手で服を持ち、残りの手でハンガーの手握部（３Ａ）と（３Ｂ）を軽く握るだけで、レバーが閉じられ、服がハンガーから脱落する。  ストッパーが掛けられた場合は、指でストッパー（４）を軽く下に引き下げるとロックが解除され、レバーが閉じられ、服がハンガーから脱落する。
【図面の簡単な説明】
【０００８】
【図１】本発明の正面図である。
【図２】本発明の手でレバーを握った時のハンガーの形状である
【図３】ストッパの部分断面構造図である
【符号の説明】
【０００９】１Ａ，１Ｂ  アーム２          フック３Ａ，３Ｂ  手握部（レバー）４          ストッパー５          手握部の連結部６          アーム連結部７          肩受部８          居受部
【図１】
2006158928.tif 000003
【図２】
2006158928.tif 000004
【図３】
2006158928.tif 000005
(57)【要約】【課題】  本発明は寝床で使用する保健用具が、身体の不測の動きによる、移動を防止するため、移動防止要具と敷布団上で締結する着脱継手が必要になった。【解決手段】  保健用具と移動防止要具とを、市販の塩ビ水道配管の、パイプ端とテイ−ズの組合せの継手で、敷布団上で着脱する、工具等が不要な、テイ−ズとパイプで簡単な新しい着脱継手が得られ、実験の際に使用した、不安定な差し込みや接着剤が不要になり、二つの物が簡単に結合着脱する事が出来る様になり、椅子やテーブル等が此の継手で、平面形の単純な可搬式に応用される。【選択図】図３
2006158926.tif 000002
【特許請求の範囲】
【請求項１】
保健用具と数種の要具の結合、その他可搬式用具に市販の塩ビ水道配管を、ティーズのパイプ口径に適合する間隔に縦横に二ヶ所固定して構成し、二つのパイプ端に、ティ−ズを挿入して、パイプ端トティ−ズの組合せを、接着剤や工具を使用せずに、締結に使用する事を、特徴とする着脱継手。
【発明の詳細な説明】
【発明の詳細な説明】
【技術分野】
【０００１】  本発明は、運搬可能物同士の着脱継手で、本来の塩ビ水道配管継手に見られない、独特の着脱継手として、過去に商品として使った例は見当らないだろう。
【背景技術】
【０００２】  市販の塩ビ水道配管継手の規格や、形状材質等も本着脱継手として、製品作成上非常に都合良く、従来の技術がそのまま使用出来る。
【発明が解決しようとする課題】
【０００３】  寝床で使用する保健用具等、種々な要具を運搬し易く、工具なしで着脱締結に使用法の着想の転換で、適当な商品と共に簡単な継手が得られた。
【課題を解決するための手段】
【０００４】  保健用具は、敷布団上で締結して使用する為に、ねじや工具が不要なものが良く、その保健用具と同じ塩ビ継手の、ティ−ズとパイプを使って〔図１〜３〕の様に簡単な着脱継手が出来上がった。
【図３】
【発明を実施するための最良の形態】
【０００５】  図面に就いて説明、Ａは敷布団上にあって移動し易く、Ｂは敷布団の表裏を両側より個別に挟む構造（本発明と無関係省略）Ａ部材のパイブ１，２とＢ部材のティーズの着脱継手の構成で、此のＡ，Ｂ二つの部材が完全に締結構成される。
この継手の締結方法は、
【図１】
Ａ１のパイプに
【図２】
Ｂ３のティ−ズ差し込み口を差し込んで、
【図２】
Ｂティ−ズの４の部分を少し回転する様にして、手に力を入れて、
【図１】
Ａ２のパイプに少し無理して挿入する、是で
【図３】
の様に完全に継手が締結される、外す時はＢ４より抜く。
【発明の効果】
【０００６】  市販の塩ビ水道配管継手が工具や接着剤不要な着脱継手として、保健用具と他の要具とを、パイプ端とティ−ズの組合せで、締結にそのまま使用出来る新しい継手が得られ、不安定な差し込みが不要になり、部材も同じもので調達が簡単。
【図面の簡単な説明】
【図１】  Ａ部材のパイプ構成部分
【図２】  Ｂ部材のティ−ズ構成部分
【図３】  Ａ．Ｂ．が完全に締結した状態の着脱継手
【図４】  応用例（立体を平面単位の可搬式にする）椅子
【符号の説明】
Ａ      パイプ構成部分
Ｂ      ティ−ズ構成部分
Ｃ      左図、椅子の背もたれと脚部パイプ二本の嵌合、右図継手詳細、
１      締結の初めに挿入するパイプ
２      締結の終りに挿入するパイプ
３      ティ−ズ側の差し込み口
４      同  上    の終りの差し込み口
５      ティーズ結合のＢ部材のパイプは接着剤で接着（本発明に不含）
【図１】
2006158926.tif 000003
【図２】
2006158926.tif 000004
【図３】
2006158926.tif 000005
【図４】
2006158926.tif 000006
(57)【要約】【課題】  筋肉の負担を軽減させるためにパッドを設けたパッド付テーピングテープを提供する。【解決手段】  カットされたテーピングテープの裏面（１）にパッド（２）を設ける。【選択図】  図１
2006158904.tif 000002
【特許請求の範囲】
【請求項１】
カットされたテーピングテープの裏面（１）にパッド（２）を設けたパッド付テーピングテープ。
【発明の詳細な説明】
【技術分野】
【０００１】  本発明は、筋肉の負担を軽減させるためにパッドを設けたパッド付テーピングテープに関する。
【背景技術】
【０００２】  従来より関節等の痛みを緩和させるためにサポーターをしたり、テーピングテープで関節の固定や筋肉の補助をしたりすることはあった。又、たとえばテニス肘の人が前腕部にテーピングテープを貼ったり、ベルトを巻いて筋肉の一部を圧迫したりして筋肉の負担を緩和させていた。
【発明の開示】
【発明が解決しようとする課題】
【０００３】  サポーター等は、自分にサイズがピッタリ合うとは限らず、しかもかさばるので目立ち、外観もよくなかった。又、ベルトは筋肉を締め付ける割には負担を軽減しきれず、テーピングテープだけでは、負担を緩和させる力が弱かった。【０００４】  本発明は、以上の欠点を解決するためになされたものである。
【課題を解決するための手段】
【０００５】  カットされたテーピングテープの裏面（１）にパッド（２）を設ける。
本発明は、以上の構成よりなるパッド付テーピングテープである。
【発明の効果】
【０００６】  本発明を使用することによって、テーピングテープにパッドを設けることによる相乗効果で、筋肉への負担を軽減する。しかも、サポーターのようにかさばらず、ベルトのように筋肉をしめつけることもない。
【発明を実施するための最良の形態】
【０００７】  筋肉にそって皮膚にテーピングテープ（３）を貼ることで、テーピングテープの裏面（１）に設けられたパッド（２）がその筋肉の一部を圧迫することになり、その結果筋肉への負担が緩和される。
【実施例】
【０００８】  以下、本発明の実施例について説明する。
カットされたテーピングテープの裏面（１）にパッド（２）を設ける。
本発明は、以上の構成で、これを使用するときは、筋肉にそって皮膚にテーピングテープ（３）を貼ることで、テーピングテープの裏面（１）に設けられたパッド（２）がその筋肉の一部を圧迫することにより、筋肉への負担が緩和される。
スポーツ時、作業時等に使用することにより、筋肉の負担を緩和しながら、スポーツや作業をすることができる。
【図面の簡単な説明】
【０００９】
【図１】  本発明の斜視図である。
【図２】  本発明の分解斜視図である。
【図３】  本発明の利用状態を示す斜視図である。
【符号の説明】
【００１０】１  テーピングテープの裏面
２  パッド
３  テーピングテープ
【図１】
2006158904.tif 000003
【図２】
2006158904.tif 000004
【図３】
2006158904.tif 000005
(57)【要約】      （修正有）【課題】  装着が簡単で締め付け調整か出来尿道部に圧迫か無く勃起助勢具に用いられる締め付けリングを提供する。【解決手段】  男性性器の根元にリング状で一部のみカットされていて締め付けすることによって静脈血流の帰還流動を圧迫させ、性器が勃起した時に静脈血流の帰還流動を圧迫するので血流の停滞が生じることにより勃起時間を長めることが可能となるリングである。簡単ですぐ装着できて効果が現れ、いつでもどこに持ち歩ける。しかも、尿道部が確保されているので機能上の支障がない。部材は弾性収縮力を持つポリエチレン系弾性材で形成する。【選択図】  図１
2006158901.tif 000002
【特許請求の範囲】
【請求項１】
（１）陰茎の根元にリングを装着し勃起した時男性性器の尿道を除き軽く締め付けて血液の環流を防ぎ勃起状態を維持させるリング
【請求項２】
（２）男性性器の根元に尿道部を除き締め付け調整可能な勃起助勢具リング
【請求項３】
（３）尿道部のみ伸縮し男性性器を締め付け構成されたことを特徴とする男性性器用装着具
【請求項４】
（４）請求項１請求項２請求項３に記載のリングに取り外し  取替え可能なサック状で左右からはめ込み中央で止める特徴をもった勃起助勢具
【請求項５】
（５）請求項１請求項２請求項３に避妊用コンドウムが組み合わせに成った特徴をした男性性器装着具
【発明の詳細な説明】
【０００１】本発明は男性性器の勃起助勢を目的とする
性器の根元にリング状で一部のみがカットされていて締め付けをする事によって静脈血流の帰還流動を圧迫させて勃起させる
【発明の背景】
【０００２】従来より男性性器に装着する装置は色々ありますが現実に使用するのに抵抗を感じる
【課題を解決するための手段】
【０００３】簡単ですぐに装着できて効果が現れいつでも  何処にでも持ち歩けるリング状である  しかも尿道部が確保されているので機能上支障をきたさない
【発明の効果】
【０００４】性器の根元を締め付ける  又は勃起したらリングで強制させられるのて自然と静脈血流の帰還流動が圧迫されるので性器は増大しかつ刺激に反応が鈍く長い時間発起が維持できる
【発明を実施するための最良の形態】
【０００５】性行為をする前に男性性器の根元に装着  尿道部を位置に会わ自然と勃起状態になったらリングが機能を発揮して助勢状態になる
【図面の簡単な説明】
【図１】平面図である
【図２】側面図である
【図３】断面図である
【符号の説明】
１      リング本体
２      保護サック
３      尿道部
【図１】
2006158901.tif 000003
【図２】
2006158901.tif 000004
【図３】
2006158901.tif 000005
(57)【要約】【課題】  パーマ液や汚れの付着したロッドや輪ゴム、エンドペーパー、スティックピン等が素早く簡単に水洗いできるロッド洗浄ネットと洗浄容器のセット。【解決手段】  目の細かいネットにファスナーを付け容器の底と同じ形の洗浄ネットを作る。合成樹脂の容器の内側はネットがひっかからないようにする。使用方法はパーマ施術後、髪からロッドを外しながら容器の内側のネットに入れ、ファスナーを閉めて蛇口の流水で洗浄する。洗浄後ロッド等の入ったネットを家庭用洗濯機で脱水し分別する。エンドペーパーはポリ袋に入れ時間のあいたときにひろげる。【選択図】  図１
2006158909.tif 000002
【特許請求の範囲】
【請求項１】
目の細かいネットにファスナーを付け容器の底と同じ形の洗浄ネットをつくる。合成樹脂の容器の内側はネットがひっかからないようにする。使用方法はパーマ施術後、髪からロッドを外しながら容器の内側のネットに入れ、ファスナーを閉めて蛇口の流水で洗浄する。洗浄後ロッド等の入ったネットを家庭用洗濯機で脱水し分別する。エンドペーパーはポリ袋に入れ時間のあいたときにひろげる。
以上を特徴とするロッド洗浄ネットと洗浄容器のセットである。
【発明の詳細な説明】
【技術分野】
【０００１】  本発明はパーマ施術後のパーマ液や汚れの付着したロッドや輪ゴム、エンドペーパースティックピン等パーマ用具の洗浄に関するものである。
【背景技術】
【０００２】  従来、パーマ施術後に髪から外したロッドや輪ゴム、エンドペーパー、スティックピン等は洗髪するシャンプーボールで洗い、溜めた水の中でより分け自然乾燥やタオルで拭きとっていた。
【発明の開示】
【発明が解決しようとする課題】
【０００３】  そのために次のような問題点があった。
（イ）シャンプーボールが使用中でロッドが洗えず不足することがあった。
（ロ）手で絞ったりタオルで水分を取り除いたエンドペーパーはひろげにくく、乾き過ぎると再び濡らしてひろげるなど手間がかかっていた。
（ハ）溜め洗いはパーマ液や汚れを十分に洗い落とすのに時間がかかった。
本発明はこれらの問題を解決するためになされたものである。
【課題を解決するための手段】
【０００４】  目の細かいネットにファスナーを付け容器の底と同じ形の洗浄ネットをつくる。合成樹脂の容器の内側はネットがひっかからないようにする。使用方法はパーマ施術後、髪からロッドを外しながら容器の内側のネットに入れ、ファスナーを閉めて蛇口の流水で洗浄する。洗浄後ロッド等の入ったネットを家庭用洗濯機で脱水し分別する。エンドペーパーはポリ袋に入れ時間のあいたときにひろげる。
以上を特徴とするロッド洗浄ネットと洗浄容器のセットである。
【発明の効果】
【０００５】  素早く簡単に作業ができ清潔でロッドが不足することがなく、エンドペーパーは手のあいたときにひろげることができるので手間がかからず便利である。
【発明を実施するための最良の形態】
【０００６】  以下、本発明の実施の形態について説明する。
（イ）目の細かいネットにファスナーを付け、容器の底と同じ形の洗浄ネットを作る。
（ロ）合成樹脂の容器の内側はネットがひっかからないようにする。
本発明は以上の構成よりなっている。
これを使用するときは、ロッドを外しながら容器の内側のネットに入れ、ファスナーを閉めて蛇口の流水で洗浄する。洗浄後ロッド等の入ったネットを家庭用洗濯機で脱水し分別する。エンドペーパーはポリ袋に入れ時間のあいたときにひろげる。
【図面の簡単な説明】
【０００７】
【図１】本発明の平面図、正面図、側面図
【符号の説明】
【０００８】    １  ロッド洗浄ネット
２  洗浄容器
３  ファスナー
【図１】
2006158909.tif 000003
(57)【要約】      （修正有）【課題】染毛剤塗布用具で染毛剤をすくいやすくするために、幅広で直線的な櫛状の染毛剤塗布用具などを使用した場合でも、染毛剤を適量、むら無く、手際良くすくいとることのできる形状をもつ染毛用トレイパレットを提供すること。【解決手段】染毛用トレイパレットの幅を一般のトレイより広くし、底部に傾斜を加え、トレイの壁面の形状をゆるやかなＵ字状に形成する。【選択図】  図１
2006158907.tif 000002
【特許請求の範囲】
【請求項１】
染毛剤塗布用具で染毛剤をすくいやすくするために、底部に傾斜と、壁面にゆるやかなＵ字の曲面を少なくとも一つ以上設けたことを特徴とする染毛用トレイ。
【発明の詳細な説明】
【技術分野】
【産業上の利用分野】
【０００１】  本発明は、染毛する際の染毛剤塗布用具の染毛用トレイの分野に関する。
【背景技術】
【０００２】  従来の染毛用トレイは円形のカップ形状が多く、直線的な櫛状の染毛剤塗布用具などで、染毛剤をすくいとるのが困難であった。
【発明が解決しようとする課題】
【０００３】  本発明が解決しようとする課題は、幅広で直線的な櫛状の染毛剤塗布用具などを使用した場合でも、染毛剤を適量、むら無く、手際良くすくいとることのできる形状をもつトレイであるという点である。
【課題を解決するための手段】
【０００４】  上記の課題を解決するために、本発明はトレイの幅を一般のトレイより広くし、底部に傾斜を加え、トレイの壁面の形状をゆるやかなＵ字にすることによって解決する。
【発明の効果】
【０００５】  本発明である、染毛用トレイ使用すると、染毛剤を適量、むら無く、手際良くすくいとることのでき、仕事の効率アップの効果が得られる。
【実施の形態】
【０００６】  本発明の実施の形態を図面により説明する。本品は、底部に傾斜をもち、トレイの壁面の形状はＵ字であり染毛剤をすくうのに適した曲面をもつ形態である。
【図面の簡単な説明】
【図１】全体図
【図２】断面図
【符号の説明】
１    底部
２    Ｕ字壁面
【図１】
2006158907.tif 000003
【図２】
2006158907.tif 000004
(57)【要約】      （修正有）【課題】染毛する際に染毛剤を、いかに短時間で手際良く、塗布し、なおかつ、むらなく、均一に塗布するかという点と、繊細な部分のへの塗布調整ができるかという点である。【解決手段】櫛歯とブラシを一体化する形態をとり、櫛歯２，３を長くすると共に、本体基部１の両側縁部から表櫛歯と裏櫛歯が立設し、親歯方向より、ある程度の間隔を置き交互に、配置される、また、この双方櫛歯の外側に半円形状の薄ブラシ部４と厚ブラシ部５が歯先から歯元に向かい、ある程度の間隔を置き交互に配置され、全体として裾広がりな形状をとる、また、ブラシ部が上記と異なる形状をとる場合においても、櫛歯とブラシを一体化する形態をとり課題を解決する。【選択図】  図１
2006158906.tif 000002
【特許請求の範囲】
【請求項１】
本品は櫛の櫛歯に、さまざまな形状のブラシを一体化させることを特徴とする染毛剤塗布用具。
【請求項２】
本品は、本体基部の両側縁部に表櫛歯と裏櫛歯が立設し、親歯方向より交互に、ある程度の間隔を置き配置されたことを特徴とする染毛剤塗布用具。
【請求項３】
前記表櫛歯と裏櫛歯には、双方櫛歯の外側に半円形状の薄ブラシ部と厚ブラシ部が歯先から歯元に向かい、ある程度の間隔を置き交互に配置され、全体として裾広がりな形状をとることを特徴とする染毛剤塗布用具。
【発明の詳細な説明】
【技術分野】
【産業上の利用分野】
【０００１】  本発明は、染毛する際の染毛剤塗布用具の分野に関する。
【背景技術】
【０００２】  従来の染毛剤塗布用具を大きく二分類して述べると、一つめの分類の染毛剤塗布用具はブラシ部と櫛部が本体の左右に別々に位置し、染毛剤を塗布するのにブラシ部を使用し、髪をとかし、なじませるのに櫛部を使用して染毛剤を塗布していたが、その方法では、ブラシ部にのせた染毛剤が染めたい髪の毛の最初につけた部分だけに多くついてしまいがちで、しかも、染めたい髪の毛の毛束を厚めにとってしまうと、表面だけについてしまい毛束の厚みの中のほうに染毛剤がつきずらい、また、櫛部に関しても、目が細かく、櫛歯の長さが短いので毛束を厚めにとった際、手際良く塗ることは難しかった。
もう一つの分類の染毛剤塗布用具はブラシ部が無く、大小の櫛部の集合体で、染毛剤をその上に乗せて、髪の毛に塗布するしくみのものである、これらのものは、ブラシ部が無いため、繊細な染毛剤塗布を必要とする部分への対応が難しいのと、やはり、櫛歯の長さが短いため、染めたい髪の毛の毛束を厚めにとってしまうと、毛束の厚みの中のほうに染毛剤がつきずらく、手際良く塗ることは難しかった。
【発明が解決しようとする課題】
【０００３】  本発明が解決しようとする課題は、染毛する際に染毛剤を、いかに短時間で手際良く、塗布し、なおかつ、むらなく、均一に塗布するかという点と、繊細な部分のへの塗布調整ができるかという点である。
【課題を解決するための手段】
【０００４】  上記の課題を解決するために、櫛歯とブラシを一体化させるという形態をとる、本発明は櫛歯を長くすると共に、本体基部の両側縁部から表櫛歯と裏櫛歯が立設し、親歯方向よりある程度の間隔を置き交互に、配置される、また、この双方櫛歯の外側に半円形状の薄ブラシ部と厚ブラシ部が歯先から歯元に向かい、ある程度の間隔を置き交互に配置され、全体として裾広がりな形状をとる、また、ブラシ部が上記と異なる形状をとる場合であっても、櫛歯とブラシを一体化させるという形態をとり、上記課題を解決するものである。
【発明の効果】
【０００５】  本発明である、染毛剤塗布用具を用いれば、染毛剤を、短時間で手際良く、なおかつ、むらなく、均一に塗布でき、繊細な部分のへの塗布調整もできるのである。
【実施の形態】
【０００６】  本発明の実施の形態を図面により説明する。本品は、櫛歯とブラシを一体化させる形態をとる。本体基部の両側縁部に表櫛歯と裏櫛歯が立設し、親歯方向より交互に、ある程度の間隔を置き配置され、双方櫛歯の外側に半円形状の薄ブラシ部と厚ブラシ部が歯先から歯元に向かい、ある程度の間隔を置き交互に配置され、全体として裾広がりな形状をとる、また、ブラシ部が上記と異なる形状をとる場合においても、櫛歯とブラシを一体化させる形態をとる
【０００７】  本体基部と櫛歯部はプラスチック等の材質をもちいる。相対する表櫛歯と裏櫛歯の距離は０、５〜２ミリ程とする。
【０００８】  半円形状の薄ブラシ部と厚ブラシ部はナイロン等の材質をもちい、堅からず、柔らかすぎず、密度も髪通りを考え適度に、また、ブラシ部が異なる形状をとる場合においても同様で櫛歯とブラシを一体化し、しっかり固定する。
【図面の簡単な説明】
【図１】全体図
【図２】断面図
【図３】櫛部拡大図
【符号の説明】
１        本体基部
２        表櫛歯
３        裏櫛歯
４        薄ブラシ部
５        厚ブラシ部
【図１】
2006158906.tif 000003
【図２】
2006158906.tif 000004
【手続補正書】
【提出日】平成17年2月14日(2005.2.14)
【手続補正１】
【補正対象書類名】図面
【補正対象項目名】全図
【補正方法】変更
【補正の内容】
【図１】
2006158906.tif 000005
【図２】
2006158906.tif 000006
【図３】
2006158906.tif 000007
(57)【要約】【課題】  マスクを長時間使用する時の、耳裏に与える苦痛を取り除くためのマスクの耳あてひもの緩和具を提供する。【解決手段】  耳あてひもに、緩和具を設けて、長時間使用しても耳裏が痛くならないことを特徴とするマスクの耳あてひもの緩和具。【選択図】    図１
2006158905.tif 000002
【特許請求の範囲】
【請求項１】
マスクを耳裏に引っ掛けるひもに装着して、耳裏にかかる負担を軽減し、苦痛を除去する耳あてひもの緩和具であって、フェルト布、スポンジ等からなる縦長形状の緩和具の両側に、この緩和具を耳あてひもに装着するための、面ファスナーを設けたことを特徴とするマスクの耳あてひもの緩和具。
【発明の詳細な説明】
【技術分野】
【０００１】  本発明は、マスクを長時間使用するときの、耳あてひもの耳裏に与える苦痛を取り除くためのマスクの耳あてひもの緩和具に関するものである。
【背景技術】
【０００２】  従来、マスクに使用している耳裏に引っ掛けるひもは、芯に極細のゴムひもを入れ、そのまわりを真綿等をよじって包み込んだひもを使用している。
【発明の開示】
【発明が解決しようとする課題】
【０００３】  そのために、次のような問題があった。
（イ）マスクを短時間使用するときは良いが、マスクを長時間使用するときは、耳裏がちぎれそうになるほどの苦痛を感じた。
（ロ）マスクを外したくとも、例えば、花粉症の時期などはマスクを外せば、くしゃみ、鼻水などに悩やまされるので我慢して使用するしかなかった。
本発明は、これらの問題を解決するためになされたものである。
【問題を解決するための手段】
【０００４】  マスク本体の耳あてひもを耳裏に引っ掛ける時、マスクのひもにフェルト布を挟み込んで、耳裏に程良い厚さに取付け長時間使用できるものとする。  以上を特徴とする耳あてひもの緩和具である。
【発明の効果】
【０００５】  緩和具を取付けることによって、長時間使用しても耳裏が、ちぎれそうに痛いほどの苦痛に悩まされない。  なお、この緩和具は耳あてひもから自由に取外し、取付けができ、他のマスクにも使い廻しができるものである。
【発明を実施するための最良の形態】
【０００６】  以下、本発明の実施の形態について説明する。
（イ）約２ミリメートルの厚さのフェルト布からなる緩和具（３Ａ）を長方形状に切断する。
（ロ）その両端に長辺に向かい雌面ファスナ−（５）、もう片方に雄面ファスナ−（４）を接着剤等を使用して貼り付ける。
本発明は、以上の構成にてなる。  これお使用するときは、雌面ファスナ−（５）と雄面ファスナ−（４）で、図３のように耳あてひも（２）を挟み込んで、緩和具の面ファスナ−の付いている方を、耳裏の付け根と反対方向にして、自分の耳裏の一番当り具合の良いところに固定して使用する。
なお、この緩和具は自由に取外し、取付けができ他のマスクにも使い廻しができるものである。
【実施例１】
【０００７】    以下、本発明の実施例１の形態について説明する。
（イ）この緩和具（３Ｂ）、図４のようにスポンジ等を使用することができる。
（ロ）約３．５ミリメートルの厚さのスポンジ等からなる緩和具（３Ｂ）を長方形状に切断する。
（ハ）この長方形状に切断した、スポンジ等を布製の粘着テ−プ（６）で全体を完全に包み込んで、スポンジ等の強度を補強する。
（二）その両端に長辺に向かい雌面ファスナ−（５）、もう片方に雄面ファスナ−（４）を接着剤等を使用して貼り付ける。  本発明は、以上の構成にてなる。
これを使用するときは、雌面ファスナ−（５）、と雄面ファスナ−（４）で、図５のように耳あてひもを挟み込んで、緩和具の面ファスナ−の付いている方を、耳裏の付け根と反対方向にして、自分の耳裏の一番当り具合の良いところに固定して使用する。
【図面の簡単な説明】
【０００８】
【図１】  マスクに緩和具を取付けた状態の斜視図
【図２】  フェルトの緩和具を平面に開いた状態の斜視図
【図３】  フェルトの緩和具を耳あてひもに取付けた状態の断面図
【図４】  スポンジ等の緩和具を平面に開いた状態の一部分断面の斜視図
【図５】  スポンジ等の緩和具を耳あてひもに取付けた状態の断面図
【符号の説明】
【０００９】  １            マスク本体
２            耳あてひも
３Ａ、３Ｂ    緩和具
４            雄面ファスナー
５            雌面ファスナー
６            粘着テープ
【図１】
2006158905.tif 000003
【図２】
2006158905.tif 000004
【図３】
2006158905.tif 000005
【図４】
2006158905.tif 000006
【図５】
2006158905.tif 000007
(57)【要約】【課題】  パーマをかけるときにエンドペーパーと輪ゴムを使わず、髪がはみ出さないボビン状ロッドと、それを固定する万能クリップのセット。【解決手段】  合成樹脂のボビン状ロッドの筒の表面に合成樹脂の粉末を付着し、髪を巻きつけやすい状態にする。髪の長さで選べるボビン状ロッドとショートロッドをつくり、それを固定する合成樹脂のクリップとショートクリップをつくる。クリップは指先でとっ手をつまむと歯先が開閉できるようにする。【選択図】図１
2006158908.tif 000002
【特許請求の範囲】
【請求項１】
合成樹脂のボビン状ロッドの筒の表面に合成樹脂の粉末を付着し、髪を巻きつけやすい状態にする。髪の長さで選べるボビン状ロッドとショートロッドをつくり、それを固定する合成樹脂のクリップとショートクリップをつくる。クリップは指先でとっ手をつまむと歯先が開閉できるようにする。
以上を特徴とするボビン状ロッドと万能クリップのセットである。
【発明の詳細な説明】
【技術分野】
【０００１】  本発明は、パーマをかけるときにエンドペーパーと輪ゴムを使わず髪がはみ出さないボビン状ロッドと、それを固定する万能クリップのセットに関するものである。
【背景技術】
【０００２】  従来、パーマをかける際、ロッドに毛束を巻きつけるときにエンドペーパーで毛先を巻き、輪ゴムで固定していた。
【発明の開示】
【発明が解決しようとする課題】
【０００３】  そのために、次のような問題点があった。
（イ）コールドパーマが開発されて以来、エンドペーパーで毛先を巻き輪ゴムで固定するしか方法がなかった。
（ロ）ところが最近のパーマスタイルはソフトなウエーブが好まれるようになり、根元だけのパーマや毛束の中間だけを巻く技術等にエンドペーパーの必要性が無くなり、輪ゴムをかけると美しいウエーブが得られない状況になった。
（ハ）長い髪を巻くときにロッドから毛束がはみ出したり、細かいところを巻くショートロッドが無かった。
本発明はこれらの問題を解決するためになされたものである。
【課題を解決するための手段】
【０００４】  合成樹脂のボビン状ロッドの筒の表面に合成樹脂の粉末を付着し、髪を巻きつけやすい状態にする。髪の長さで選べるボビン状ロッドとショートロッドをつくり、それを固定する合成樹脂のクリップとショートクリップをつくる。クリップは指先でとっ手をつまむと歯先が開閉できるようにする。
以上を特徴とするボビン状ロッドと万能クリップのセットである。
【発明の効果】
【０００５】  ロッドから髪がはみ出さず、毛束のどの部分からでも簡単に早く巻くことができて美しいウエーブが得られた。輪ゴム以外に固定するクリップがあることで合理的にパーマをかけることができて時間が短縮した。
【発明を実施するための最良の形態】
【０００６】  以下、本発明の実施の形態について説明する。
（イ）合成樹脂のボビン状ロッドの筒の表面に合成樹脂の粉末を付着する。
（ロ）直径の異なるボビン状ロッド１とショートロッド２をつくる。
（ハ）両面が同じ形の合成樹脂のクリップ３とショートクリップ４をつくる。
本発明は以上の構成よりなっている。
これを使用するときは、髪の長さでロッドとクリップを選択し指先で毛束をボビン状ロッドに巻きつけ万能クリップで固定する。
【図面の簡単な説明】
【０００７】
【図１】本発明の斜視図と使用図
【図２】本発明の正面図、側面図、部分図
【図３】本発明の正面図、側面図、部分図
【符号の説明】
【０００８】    １  ボビン状ロッド
２  ショートロッド
３  万能クリップ
４  ショートクリップ
【図１】
2006158908.tif 000003
【図２】
2006158908.tif 000004
【図３】
2006158908.tif 000005
(57)【要約】【課題】  スロットマシン等コインを用いた遊技機の使用に伴って散逸したコインは、従業員が手で一枚一枚拾い集める、カードや下敷き、モップや箒でかき集めるなどして回収されているが、薄いコインは手で拾いにくく、カードや下敷き、モップや箒を使用すると埃やゴミも同時に回収し、不衛生かつ不便である。また磁石での回収も不可である。【解決手段】  回収部材の４箇所のスリットと内部の段差（引っかかり）によりもたらされた伸縮性により確実にコインを掴み取り、また逆流も防げる為、迅速にコインを回収することが可能である。更に、回収部材の先端を面取りして僅かな隙間を設けている為、コインを捉えることが容易になると共に、コイン同士が重なっている場合や床面が柔らかい絨毯などでコインが平らにならない状態にあっても確実にコインを捉えることが可能である。ゆえに、床面やコインに直接手を触れることなく、衛生的に回収を行うことが出来る。【選択図】図２
2006158902.tif 000002
【特許請求の範囲】
【発明の詳細な説明】
【技術分野】
【０００１】  本発明は、スロットマシンなどのコインを用いた遊技機を使用する際、又はコインを移動させる際に散逸したコインを回収するためのコイン回収器に関する。
【発明の開示】
【発明が解決しようとする課題】
【０００２】  パチンコ店やゲームセンター、カジノなどに設置されているスロットマシンは多量のコインを用いた遊技機である。【０００３】  これらの遊技機は、コイン投入時に手を滑らせたり、コインを獲得した際に機械内部から流れ出す勢いでコインが弾き出されたり、所謂ドル箱への移動の際に滑り落ちたり、といった様に、多々床面に落下散逸することがある。【０００４】  また、従業員や遊戯者が手を滑らせたり、躓いたりしてドル箱が倒れ、多量のコインが散逸することもある。【０００５】  現在これらの散逸したコインは、従業員が手で拾い集めたり、多量の場合はカードや下敷き、もしくはモップや箒で掃き集め、回収されている。【０００６】  しかしコインは薄い為、手では拾いにくく、モップや箒で掃き集めるのも、埃やゴミなどを一緒に掃き集めるために不便であり、衛生面でも良くない。【０００７】  また、コインはニッケルやクロム等の非磁性体合金で出来ており、磁石を使用しての回収はできない。【０００８】  そこで本発明は上記の不便さ、不衛生さを解決しようとするものであり、じかに床に触れることなく、コインをより迅速に拾い集めることを目的とするものである。
【課題を解決するための手段】
【０００９】  上記目的を達成するために本発明は、筒状のアルミ部材の先端に回収部材を設け、更にその回収部材には４箇所のスリットと内部に段差（引っかかり）を設けることで伸縮性を持たせたものである。【００１０】  更に回収部材の先端を面取りし、僅かな隙間を設ける事でコインを捉えやすくしたものである。
【発明の効果】
【００１１】  上述の通り、回収部材の４箇所のスリットと内部の段差（引っかかり）によりもたらされた伸縮性により、確実にコインを掴み取ることが可能であり、また回収したコインの逆流も防げる為、多量のコインが散逸した場合でも迅速にコインを回収することが可能である。【０００８】  更に、回収部材の先端を面取りして僅かな隙間を設けている為、二枚目以降のコインを捉えることも容易になると共に、コイン同士が重なっている場合や床面が柔らかい絨毯などでも確実にコインを捉えることが可能である。ゆえに、床面やコインに直接手を触れることなく、衛生的に回収を行うことが出来る。
【発明の実施するための最良の形態】
【００１２】  以下、本発明の実施の形態を、図面を参照しながら述べる。
【００１３】  図１の▲３▼を上方向から手の平で包むように持ち、フロア及び床に散逸したコインに図１の▲４▼を押し付ける。
【００１４】  図１の▲１▼及び図１の▲２▼により図１の▲４▼の内径に弾力性を持たせているため、図２の▲１▼がガイドとなり図２の▲２▼にコインが挟まる。その状態を維持したまま二枚目のコインに先端部図１の▲４▼を押し付けると、図２の▲１▼に二枚目のコインが引っかかるようにして沿う。そのまま本体を押し付けると、コインは▲１▼に沿って持ち上がり、図２▲２▼に挟まれた状態で収まる。１枚目のコインは更に、図２▲２▼よりも広い内径を設けた図２の▲３▼に押し上げられ、フリーの状態になる。この時、２枚目のコインは図２の▲２▼に挟まった状態を維持している。３枚目以降のコインも上記の要領で繰り返す事により、図２の▲３▼に溜めることができる。
【００１５】  また上記の図２の▲１▼の面取りによる隙間は床材が柔らかい絨毯である場合やコイン同士が重なっている状態でも捉えられるように設けられたものでもある。
▲３▼に溜まったコインは図１の▲３▼を持ち図１の▲４▼を上に向けると手の平に収めることが可能となる。
【００１６】  又、図１の▲４▼及び図２の▲１▼▲２▼の内径のサイズを変えることにより、多種のサイズのコインにも対応する事が可能である。
【００１７】  上記の形態により、床面やコインに直接触れることなく衛生的にコインを回収でき、より簡単、迅速に多量のコインを確実に回収することが可能になっている。
【図面の簡単な説明】
【００１８】
【図１】本体外部側面
【図２】本体断面図
【符号の説明】
【００１９】図１▲１▼  穴
図１▲２▼  スリット溝
図１▲３▼  グリップ
図１▲４▼  本体先端部
図２▲１▼  挿入口面取部
図２▲２▼  爪
図２▲３▼  内管
【図１】
2006158902.tif 000003
【図２】
2006158902.tif 000004
【手続補正書】
【提出日】平成17年2月24日(2005.2.24)
【手続補正２】
【補正対象書類名】特許請求の範囲
【補正対象項目名】全文
【補正方法】変更
【補正の内容】
【特許請求の範囲】
【請求項１】
コインを掴み取るための部材を設けた筒状のコイン回収器
【請求項２】
コイン回収部材に伸縮性を持たせるために、回収部材の４箇所にスリットを設けると共に、内部に段差（引っかかり）を設けたこと２枚目以降のコインの回収をスムーズにするため、及び、あらゆる床材やコイン同士が重なった状態にも対応できるように、回収部材の先端を面取りしたことを特徴とする請求項１記載のコイン回収器
(57)【要約】      （修正有）【課題】マグネシュウム合金を使用した炊飯器の内釜の製造を行う。【解決手段】マグネシュウム合金は一般的なメッキと比較して高い電磁シールド効果を有している。その外、熱伝導性が良く炊飯時間が短縮できる。尚機械的特性以外に人体内にて生成出来ないマグネシュム（Ｍｇ）が４，２６ｐｐｍも炊飯されたご飯にイオン化含浸される事は人体の健康に貢献する大きな利点で、炊飯器内釜の材料として最適な金属材料である。【選択図】なし【特許請求の範囲】
【請求項１】
現在日本工業規格（ｊｉｓ）に定められているマグネシュウム合金組成等の伸展性の良い材質、及び機械的性質を使用して電気炊飯器の内釜の製造。
【請求項２】
マグネシュウム合金使用の電気ヒーター加熱方式の場合それぞれに適合するべく厚みを調整をし、電気加熱効果を上げ、且つマグネシュウムのイオン化傾向による炊飯米にミネラル（Ｍｇ）が浸透し人体の健康増進に役立つ用調整する。
【発明の詳細な説明】
【技術分野】
【０００１】現在一般家庭で使用されている電気炊飯器の分野において、渦巻電流、ヒターに依る加熱方式にて米炊飯を行って居りますが、今後マグネシュウム合金の持つ特性の中で軽い、熱傳導性、耐衝撃性、電磁波吸収性、等の金属特性を利用して新しい材料分野の開拓を行う．
［背景技術］【０００２】マグネシュウム合金の特性は、古くから知られていましたが加工性の難点が在り利用に限界が在りました、然し近年、新しい合金技術が生まれて、加工技術が改善され、ここ数年來新しい材料として強度、軽い、加工性、遮磁性の点であらゆる分野に利用される様うになり、携帯電話、カメラ、車、パソコンケース等利用分野が拡大してきています．
この特性の中に米炊飯時に人体で生成出来ないミネラル（マグネシュウム）がイオン化して炊飯米に含浸する事が分かり（肩こり、動脈硬化を防ぐ効果）この点の効果を利用したいと考えました．これが背景に成りました．【０００３】この改善の効果は炊飯の方法も去ることながら今までの炊飯には無いミネラルをより沢山含み、その効果が人体に健康増進を齎す利点を求める事に改善の価値がある．
［発明の開示］
［発明が解決しようとする課題］【０００４】従来の炊飯器は如何にご飯を美味く炊くかと言う事と、経済的に炊飯、保持が出来るかが主眼であり、勿論この問題も重要な課題であり無視することは不可能であるが、その他に体内にて生成不可能なミネラルを自然に取り入れらる事が今後健康増進、保持の為に当然解決して行かなければ成らない課題で在る事は当然な問題と思います．
［課題を解決する為の手段］【０００５】電磁誘導による加熱方式の場合炊飯器内釜にテフロン加工施した最内側のマグネシュウム合金の厚みと適合性の最良点検出の為にテストと、テフロン加工後ミネラルのイオン化傾向の強弱に応じて人体に及ぼす影響のテストを厳格にする、この試作の為にマグネシュウム合金の可能な厚みに圧延、プレス加工、テフロン加工の厚み、生産性、経済的、諸問題を解決する必要があります。
［発明の効果］【０００６】この材料を使用した炊飯器内釜で炊飯した場合ミネラル（マグネシュウム）の人体に摂取したり吸収する量が増え健康増進に効果がある．又ヒーター加熱方式の場合は軽量で、熱伝導効果により電気使用量の節約にもなる．
［発明を実施するための最良の形態］【０００７】ＪＩＳ規格に定められた合金の使用にこだわらず、内釜製造に関してより伸展性、加工性の良い合金の開発が必要である、また今後機械加工、食品関係学会共提携してより生産性、健康増進に効果を上げるべくテストするべきだとお思います．
［実施例］【０００８】ヒーター加熱方式にて内釜の試作完了しデーターをとる、過熱、ミネラル含有量、
下記の通り
加熱温度                  ミネラル        ４．６２ｐｐｍ．
加熱時間（保温を含めて）                    ３０分以上
［産業上の利用可能性］【０００９】マグネシュウムはリサイクルが容易な為今後は産業廃棄物の軽減化に役立つ金属である．